(57)【要約】【課題】副管の付設作業の能率を高めると共に作業時の危険性を減ずる。【解決手段】マンホールの副管付設用型枠１を、上下に接続して一体化する上部型枠８と下部型枠２とによって構成する。これら上部型枠８と下部型枠２を予め平面コ字形状に形成する。また、これら上部型枠８と下部型枠２の開放側の両端には、夫々マンホール１１の外周壁面への接合片部３、３、９、９を形成すると共に該接合片部３、３、９、９を粘着テープ４、４、１０、１０をもってマンホール１１の外周壁面に接着するようにする。そして下部型枠２の内部中央に支持体７、７をもって副管６を固定する。【選択図】図２ 
2005200831.tif 000002
【特許請求の範囲】
【請求項１】
適宜の強度を有する材料をもって平面コ字形状に形成し、開放側の両端に夫々マンホールの外周壁面への接合片部を一体的に形成する共に該接合片部を適宜の手段をもってマンホールの外周壁面に接合するようになし、更に内部中央に支持体をもって副管を固定した下部型枠と、適宜の強度を有する材料をもって平面コ字形状に形成し、開放側の両端に夫々マンホールの外周壁面への接合片部を一体的に形成すると共に該接合片部を適宜の手段をもってマンホールの外周壁面に接合するようになした上部型枠とからなり、該上部型枠を前記下部型枠の上部に接続して一体化するようになしたことを特徴とするマンホールの副管付設用型枠。
【請求項２】
適宜の強度を有する材料をもって平面コ字形状に形成し、開放側の両端に夫々マンホールの外周壁面への接合片部を一体的に形成する共に該接合片部を適宜の手段をもってマンホールの外周壁面に接合するようになし、更に内部中央に支持体をもって副管を固定した下部型枠と、適宜の強度を有する材料をもって平面コ字形状に形成し、開放側の両端に夫々マンホールの外周壁面への接合片部を一体的に形成すると共に該接合片部を適宜の手段をもってマンホールの外周壁面に接合するようになした上部型枠とからなり、該上部型枠を前記下部型枠の上部に接続して一体化するようになしたマンホールの副管付設用型枠を用い、該マンホールの副管付設用型枠における下部型枠を、その接合片部をマンホールの外周壁面に接合することによってマンホールに固定すると共に副管をマンホールに取り付け，その後下部型枠の周囲に土を埋め戻しながら該下部型枠内に生コンクリート等を打設し、更に下部型枠の上部に上部型枠を接続すると共にその接合片部をマンホールの外周壁面に接合することによってマンホールに固定し、その後上部型枠の周囲に土を埋め戻しながら該上部型枠内に生コンクリート等を打設するようになしたことを特徴とするマンホールの副管付設用型枠を用いた副管付設施工法。
【請求項３】
適宜の強度を有する材料をもって平面コ字形状に形成し、開放側の両端に夫々マンホールの外周壁面への接合片部を一体的に形成する共に該接合片部を適宜の手段をもってマンホールの外周壁面に接合するようになし、更に内部中央に支持体をもって副管を固定した下部型枠と、適宜の強度を有する材料をもって平面コ字形状に形成し、開放側の両端に夫々マンホールの外周壁面への接合片部を一体的に形成すると共に該接合片部を適宜の手段をもってマンホールの外周壁面に接合するようになした上部型枠とからなり、該上部型枠を前記下部型枠の上部に接続して一体化するようになしたマンホールの副管付設用型枠を用い、該マンホールの副管付設用型枠における下部型枠を、その接合片部をマンホールの外周壁面に接合することによってマンホールに固定すると共に副管をマンホールに取り付け，その後下部型枠の内部と周囲に下部側から水締め砂を入れ、更に下部型枠の上部に上部型枠を接続すると共にその接合片部をマンホールの外周壁面に接合することによってマンホールに固定し、その後上部型枠の内部と周囲に下部側から水締め砂を入れるようになしたことを特徴とするマンホールの副管付設用型枠を用いた副管付設施工法。
【発明の詳細な説明】
【技術分野】
【０００１】
本発明はマンホールの副管付設用型枠及びこれを用いた副管付設施工法に関するものである。
【背景技術】
【０００２】
マンホールの流入主管（直管）が６０ｃｍ以上の高さにある場合には、落下水の衝撃によるマンホールの底部の浸食や汚水の飛散等を防ぐために水を分散すべく、流入主管から分岐してマンホールの底部側に接続するＬ字形の副官（曲管）を付設しなければならないことになっている。
【０００３】
そして、従来この副管の付設工事は、マンホールの周囲に穴を掘り、先ず副管をマンホールに取り付け、その後該副管の周囲に型枠を組み、そして該型枠内に生コンクリートを打設し、該生コンクリートが硬化した後型枠を取り外し、最後に土を埋め戻すという作業手順によって行われていた。
【０００４】
しかし、斯かる従来における副管付設工事には、次の如き種々の問題点があった。
（１）副管をマンホールに取り付ける際、該副管は何らの支えもない状態であるから不安定であり、取り付けに手間取る。
（２）型枠を現場で組むにあたって、これには相当な熟練を要し、而も狭いスペースでの作業であるから能率が悪く、その上周りの土が流出する危険性もある。
（３）型枠は、再使用するために生コンクリートが硬化した後で取り外さなければならず、このため生コンクリートが完全に硬化するまで待つ必要があり、無駄な時間を要する。
【発明の開示】
【発明が解決しようとする課題】
【０００５】
本発明は上記の点に鑑みなされたものであって、型枠を、上下に接続して一体化する上部型枠と下部型枠とによって構成すると共に、これら上部型枠と下部型枠を予め平面コ字形状に形成しておき、更に下部型枠の内部中央に支持体をもって副管を固定することにより、副管のマンホールへの取り付け作業が容易になると共に、現場の狭いスペースにおいて型枠を組むことに要する手間と時間を省くことができ、且つまた周りの土の流出による危険性も減ずることができ、更に型枠内に打設した生コンクリートの硬化を待つまでもなく、型枠設置後直ぐに土の埋め戻しを行うことができるようになしたマンホールの副管付設用型枠及びこれを用いた副管付設施工法を提供せんとするものである。
【課題を解決するための手段】
【０００６】
而して、本発明に係るマンホールの副管付設用型枠は、適宜の強度を有する材料をもって平面コ字形状に形成し、開放側の両端に夫々マンホールの外周壁面への接合片部を一体的に形成する共に該接合片部を適宜の手段をもってマンホールの外周壁面に接合するようになし、更に内部中央に支持体をもって副管を固定した下部型枠と、適宜の強度を有する材料をもって平面コ字形状に形成し、開放側の両端に夫々マンホールの外周壁面への接合片部を一体的に形成すると共に該接合片部を適宜の手段をもってマンホールの外周壁面に接合するようになした上部型枠とからなり、該上部型枠を前記下部型枠の上部に接続して一体化するようになしたことを特徴とするものである。
【０００７】
また、本発明に係る上記型枠を用いた副管付設施工法は、適宜の強度を有する材料をもって平面コ字形状に形成し、開放側の両端に夫々マンホールの外周壁面への接合片部を一体的に形成する共に該接合片部を適宜の手段をもってマンホールの外周壁面に接合するようになし、更に内部中央に支持体をもって副管を固定した下部型枠と、適宜の強度を有する材料をもって平面コ字形状に形成し、開放側の両端に夫々マンホールの外周壁面への接合片部を一体的に形成すると共に該接合片部を適宜の手段をもってマンホールの外周壁面に接合するようになした上部型枠とからなり、該上部型枠を前記下部型枠の上部に接続して一体化するようになしたマンホールの副管付設用型枠を用い、該マンホールの副管付設用型枠における下部型枠を、その接合片部をマンホールの外周壁面に接合することによってマンホールに固定すると共に副管をマンホールに取り付け，その後下部型枠の周囲に土を埋め戻しながら該下部型枠内に生コンクリート等を打設し、更に下部型枠の上部に上部型枠を接続すると共にその接合片部をマンホールの外周壁面に接合することによってマンホールに固定し、その後上部型枠の周囲に土を埋め戻しながら該上部型枠内に生コンクリート等を打設するようになしたことを特徴とするものである。
【発明の効果】
【０００８】
本発明によれば、副管のマンホールへの取り付けに際して、副管は下部型枠内に支持体をもって支持された状態であるから、取り付け作業が容易となり、作業時間を大幅に短縮することができる。また、型枠は、上部型枠及び下部型枠のいずれも予め平面コ字形状に形成してあるから、従来の如く現場において組み立てる必要がない。したがって、従来の如き型枠の組み立てに要する手間と時間が不要であり、且つまた周りの土の流出による危険性も減ずることができる。更にまた、型枠は埋めたままにしておくものであるから、型枠内に打設した生コンクリートの硬化を待つまでもなく、型枠設置後直ぐに土の埋め戻しを行うことができ、加えて従来の如く型枠を取り外す手間も不要である。したがって、作業時間を大幅に短縮することができると共に労力も大幅に軽減することができるものである。加えて、上部型枠についてはその寸法を違えたものを数種類用意することにより、副管の長さに対応することができるものである。
【発明を実施するための最良の形態】
【０００９】
本発明を実施するための最良の形態は、型枠を、上下に接続して一体化する上部型枠と下部型枠とによって構成すると共に、これら上部型枠と下部型枠を予め平面コ字形状に形成しておき、更に下部型枠の内部中央に支持体をもって副管を固定することににある。また、上部型枠と下部型枠の開放側の両端には夫々マンホールの外周壁面への接合片部を一体的に形成すると共に該接合片部を適宜の手段をもってマンホールの外周壁面に接合するようにする。
【実施例】
【００１０】
以下、本発明の実施例について説明する。
図１は本発明に係るマンホールの副管付設用型枠の実施例を示すものである。
【００１１】
図中、１は上下に接続して一体化する後記上部型枠と下部型枠とによって構成するマンホールの副管付設用型枠である。２は下部型枠であり、本実施例にあっては塩化ビニールをもって平面コ字形状に形成している。また該下部型枠２の開放側の両端には、夫々マンホールの外周壁面への接合片部３、３を一体的に形成すると共に該接合片部３、３を適宜の手段をもってマンホールの外周壁面に接合するようになしている。また、本実施例にあっては、接合片部３、３に粘着テープ４、４を取り付け、該粘着テープ４、４をもって接合するようにしている。尚、該粘着テープ４、４の粘着面には使用するまでの間図示しない剥離紙を貼着しておく。更にまた、該下部型枠２の上端部には、後記上部型枠の下端部が差し込まれる受け部５を形成している。
【００１２】
６は副管であり、前記下部型枠４の内部中央に支持体７、７をもって固定されている。
【００１３】
８は上部型枠であり、下端部を前記下部型枠２の受け部５に差し込んで接続するものである。尚、上部型枠８と下部型枠２との接続構造は、本実施例に限定されるものではない。また、該上部型枠８は、本実施例にあっては塩化ビニールをもって平面コ字形状に形成している。また、該上部型枠８は、その寸法を違えたものを数種類用意することにより、副管の長さに対応することができるものであり、また場合によっては現場において切断し、長さの微調整をすることも可能である。そしてまた、該上部型枠８の開放側の両端には、夫々マンホールの外周壁面への接合片部９、９を一体的に形成すると共に該接合片部９、９を適宜の手段をもってマンホールの外周壁面に接合するようになしている。また、本実施例にあっては、接合片部９、９に粘着テープ１０、１０を取り付け、該粘着テープ１０、１０をもって接合するようにしている。尚、該粘着テープ１０、１０の粘着面には使用するまでの間図示しない剥離紙を貼着しておく。
【００１４】
次に、図２及び図３を参照しつつ本発明に係る上記型枠を用いた副管付設施工法の実施例について説明する。
図２及び図３において、１１はマンホール、１２は流入主管、１３は流出管、１４は穴、１５は土を夫々示す。
【００１５】
而して、先ず副管６をマンホール１１に取り付けるが、この場合には該副管６は下部型枠２の支持体７、７によって支持されているから、下部型枠２の設置と同時に容易に取り付けることができる。また、下部型枠２の設置は、その接合片部３、３を、それに取り付けた粘着テープ４、４によってマンホール１１の外周壁面に接着することによって行われる。そしてその後下部型枠２の周囲に土を埋め戻しながら該下部型枠２内に生コンクリート（図示せず。）を打設する。これが済んだ後、下部型枠２の上部に上部型枠８を接続する。そしてその接合片部９、９をそれに取り付けた粘着テープ１０、１０によってマンホール１１の外周壁面に接着する。そしてその後上部型枠８の周囲に土を埋め戻しながら該上部型枠８内に生コンクリート（図示せず。）を打設するものである。
【００１６】
また、本実施例においては型枠内に生コンクリートを打設する場合を示したが、図４に示す如く砂で水締めをするようにしてもよいものである。この場合には、下部型枠２を設置した後その内部と周囲に下部側から水締め砂１６を入れ、更に下部型枠２の上部に上部型枠８を接続すると共にその接合片部９をマンホール１１の外周壁面に接合することによってマンホール１１に固定し、その後上部型枠８の内部と周囲に下部側から水締め砂１６を入れるものである。そしてまた、水締め砂を入れるときには良質土１７も同様に埋め戻すものである。
【図面の簡単な説明】
【００１７】
【図１】本発明に係るマンホールの副管付設用型枠の斜視図である。
【図２】本発明に係る図１に示した型枠を用いた副管付設施工法の第１実施例の説明図である。
【図３】図２に示した副管付設施行法の要部の拡大図である。
【図４】本発明に係る図１に示した型枠を用いた副管付設施工法の第２実施例の説明図である。
【符号の説明】
【００１８】
１  マンホールの副管付設用型枠
２  下部型枠
３、３  接合片部
４、４  粘着テープ
６  副管
７、７  支持体
８  上部型枠
９、９  接合片部
１０、１０  粘着テープ
１１  マンホール
１２  流入主管
１３  流出管
１６  水締め砂
【図１】
2005200831.tif 000003
【図２】
2005200831.tif 000004
【図３】
2005200831.tif 000005
【図４】
2005200831.tif 000006